(57)【要約】【課題】  昇圧回路の昇圧倍数に依存せずに所望の電圧を得ると共に、昇圧に使用しないコンデンサを有効に利用する。【解決手段】  昇圧回路２４の出力電圧Ｖprは、抵抗Ｒ５、Ｒ６によって分圧される。その分圧された電圧Ｖbackと基準電圧Ｖrefとの差分の電圧がオペアンプ２３によって増幅され、昇圧回路２４に帰還され、昇圧される。このような動作を繰り返すことにより、所望の安定した出力電圧Ｖprが得られる。このようにして得られた出力電圧Ｖprは、分圧回路２２によって、駆動電圧Ｖ０〜Ｖ４に分圧され、行ドライバ及び列ドライバに供給される。また、昇圧に寄与しない昇圧コンデンサＣprは、昇圧回路２４の出力電位と接地電位との間に接続を切り替え、安定化コンデンサＣstとして用いたり、他の昇圧コンデンサに並列接続して補助コンデンサとして用いる。【選択図】      図２
2010152369.tif 000002
【特許請求の範囲】
【請求項１】
供給された電圧を昇圧して出力する昇圧手段と、
前記昇圧手段より出力された電圧を検出し、その検出結果に基づき、前記昇圧手段より出力される電圧が所望の値となるように、前記昇圧手段に供給する電圧を制御する電圧制御手段と、
前記昇圧手段より出力された電圧を、前記昇圧手段の出力電位と接地電位との間に直列に接続された複数の抵抗によって分圧し、駆動用の電圧として表示素子に供給する駆動電圧供給手段と、
を備えることを特徴とする電源装置。
【請求項２】
前記電圧制御手段は、
前記昇圧手段より出力された電圧を分圧する第１の分圧手段と、
前記第１の分圧手段により分圧された電圧と、基準電圧との差を増幅し、その増幅した電圧を前記昇圧手段に昇圧対象の電圧として供給する増幅手段と、
を備えることを特徴とする請求項１に記載の電源装置。
【請求項３】
供給された電圧を昇圧して出力する昇圧手段と、
前記昇圧手段より出力された電圧と、基準電圧との差分に対応する電圧を出力する差分出力手段と、
前記差分出力手段より出力された電圧をディジタル信号に変換して出力するＡ／Ｄ変換手段と、
前記Ａ／Ｄ変換手段より出力された前記ディジタル信号に基づき、前記昇圧手段に供給される昇圧対象の電圧を制御する手段と、
前記昇圧手段より出力された電圧を、前記昇圧手段の出力電位と接地電位との間に直列に接続された複数の抵抗によって分圧し、駆動用の電圧として表示素子に供給する駆動電圧供給手段と、
を備えることを特徴とする電源装置。
【請求項４】
供給された電圧を昇圧して出力する昇圧手段と、
前記昇圧手段より出力された電圧と、基準電圧との差分に対応する電圧を出力する差分出力手段と、
前記差分出力手段より出力された電圧をディジタル信号に変換して出力するＡ／Ｄ変換手段と、
前記Ａ／Ｄ変換手段より出力された前記ディジタル信号に基づき、前記昇圧手段より出力された電圧が所望の値となるように、前記昇圧手段の昇圧動作を制御する昇圧動作制御手段と、
前記昇圧手段より出力された所望の電圧を、前記昇圧手段の出力電位と接地電位との間に直列に接続された複数の抵抗によって分圧し、駆動用の電圧として表示素子に供給する駆動電圧供給手段と、
を備えることを特徴とする電源装置。
【請求項５】
前記昇圧手段は、動作クロックに従って昇圧動作を実行する昇圧回路を備え、
前記昇圧動作制御手段は、前記昇圧手段より出力された電圧が所望の値となるように、前記昇圧手段の昇圧動作に供給する動作クロックの周波数を制御する周波数制御手段を備える、
ことを特徴とする請求項４に記載の電源装置。
【請求項６】
前記昇圧動作制御手段は、前記昇圧手段の出力電圧に従って、前記昇圧手段をオン又はオフにする昇圧動作切換手段を備えることを特徴とする請求項４に記載の電源装置。
【請求項７】
前記昇圧手段は、昇圧段数を切り換える機能を有し、
前記昇圧動作制御手段は、前記昇圧手段の出力電圧に従って、前記昇圧手段の昇圧段数を制御する昇圧段数切換手段を備える、
ことを特徴とする請求項４に記載の電源装置。
【請求項８】
前記昇圧手段は、複数の昇圧用コンデンサを充電し、充電後その昇圧用コンデンサの接続を切り換えて接続する手段を備え、
前記昇圧動作制御手段は、前記昇圧手段の出力電圧に従って、前記昇圧手段の昇圧動作に寄与する複数の昇圧用コンデンサの接続を切り換える手段を備えることを特徴とする請求項４に記載の電源装置。
【請求項９】
前記電圧制御手段は、
前記昇圧手段より出力された電圧を、前記駆動電圧供給手段の抵抗を用いて分圧する第２の分圧手段と、
前記第２の分圧手段により分圧された電圧と、基準電圧との差を増幅し、その増幅した電圧を前記昇圧手段に昇圧対象の電圧として供給する増幅手段と、
を備えることを特徴とする請求項１に記載の電源装置。
【請求項１０】
前記第２の分圧手段は、前記駆動電圧供給手段の抵抗によって分圧された任意の電位を用いることが可能な分圧抵抗切替手段を備えることを特徴とする請求項９に記載の電源装置。
【請求項１１】
前記昇圧手段は、複数の昇圧用コンデンサを充電し、充電後その昇圧用コンデンサの接続を切り換えて昇圧する手段を備え、
前記複数の昇圧用コンデンサを、前記昇圧手段の出力電位と接地電位との間に接続されるように切り替えることが可能な接続切替手段をさらに備えることを特徴とする請求項１乃至１０のいずれか１項に記載の電源装置。
【請求項１２】
前記昇圧手段は、複数の昇圧用コンデンサを充電し、充電後その昇圧用コンデンサの接続を切り換えて昇圧する手段を備え、
前記複数の昇圧用コンデンサを、並列に接続することが可能な並列接続手段をさらに備えることを特徴とする請求項１乃至１１のいずれか１項に記載の電源装置。
【発明の詳細な説明】
【技術分野】
【０００１】
この発明は、電源装置に関し、特に、表示素子に安定した駆動電圧を供給する電源装置に関する。
【背景技術】
【０００２】
液晶表示装置は、縦横に交差する走査電極と信号電極とを備え、行ドライバより走査電極に選択電圧を順次印加し、列ドライバより信号電極に、表示データに対応したデータ電圧を印加することにより表示を行う。
【０００３】
各ドライバに選択電圧又はデータ電圧を供給する電源装置には、図１４に示すような装置が用いられている。
【０００４】
図１４に示す電源装置２は、電源電圧ＶDDを昇圧して出力する昇圧回路２４と、昇圧回路２４の出力電圧を電源とし、基準電圧Ｖrefを増幅して出力する増幅回路２３と、増幅回路２３の出力電圧を抵抗Ｒにより分圧して、表示素子を駆動するための電圧を出力する分圧回路２２と、から構成される。
【０００５】
昇圧回路２４は、スイッチング・トランジスタと昇圧コンデンサＣとによって昇圧倍数が設定される。
【０００６】
例えば、昇圧回路２４に２つのスイッチング・トランジスタと２つの昇圧用コンデンサＣを用い、電源電圧ＶDDを２倍に昇圧する２倍昇圧回路を構成できる。同様に、３つのスイッチング・トランジスタと３つの昇圧コンデンサＣから、電源電圧ＶDDを３倍に昇圧する３倍昇圧回路を得ることができる。また、２倍昇圧回路と３倍昇圧回路とを組み合わせることにより、電源電圧ＶDDを６倍に昇圧する６倍昇圧回路を構成できる。
【０００７】
このように、使用するスイッチング・トランジスタ及び昇圧コンデンサＣの数を変えたり、複数の昇圧回路を用いることによって、昇圧倍数を変更することができる。
【０００８】
図１４に示す昇圧回路２４は、電源電圧ＶDDを固定して使用され、液晶表示装置等の電源装置に用いる場合、ソフトウエア等により昇圧回路２４の昇圧段数が変更できるように設計されている。そのため、昇圧回路２４の昇圧段数を変更することにより、昇圧倍数を変えることができる。
【発明の概要】
【発明が解決しようとする課題】
【０００９】
ソフトウエア等により昇圧回路２４の昇圧段数を変更するとき、昇圧段数を課題に設定した場合、昇圧回路２４の出力電圧が、電源装置を構成するＬＳＩの絶対最大定格を越えてしまい、ＬＳＩに許容量を越えた電流が流れ、ＬＳＩの破壊或いは性能が低下する。
【００１０】
また、液晶表示装置等の負荷（動作電圧）が、表示内容や温度等により変化すると、昇圧回路２４の出力電圧も変動してしまうため、常に一定の電圧を出力することが困難であった。
【００１１】
この発明は、上記のような問題を解決するために成されたものであり、表示素子に駆動電圧を好適に供給することが可能な電源装置を提供することを目的とする。またこの発明は、回路に備わっている素子を効率的に利用する電源装置を提供することを他の目的とする。
【課題を解決するための手段】
【００１２】
上記目的を達成するために、本発明の電源装置は、
供給された電圧を昇圧して出力する昇圧手段と、
前記昇圧手段より出力された電圧を検出し、その検出結果に基づき、前記昇圧手段より出力される電圧が所望の値となるように、前記昇圧手段に供給する電圧を制御する電圧制御手段と、
前記昇圧手段より出力された電圧を、前記昇圧手段の出力電位と接地電位との間に直列に接続された複数の抵抗によって分圧し、駆動用の電圧として表示素子に供給する駆動電圧供給手段と、
を備えることを特徴とする。
【００１３】
前記電圧制御手段は、
前記昇圧手段より出力された電圧を分圧する第１の分圧手段と、
前記第１の分圧手段により分圧された電圧と、基準電圧との差を増幅し、その増幅した電圧を前記昇圧手段に昇圧対象の電圧として供給する増幅手段と、
を備える。
【００１４】
上記構成とすることにより、昇圧回路より出力された電圧が目標値より高ければ、その電圧を分圧した電圧と基準電圧との差は小さくなり、低い電圧が昇圧回路に供給されるので昇圧回路の出力電圧を下げることができる。また、昇圧回路の出力電圧が目標値より低ければ、その電圧を分圧した電圧と基準電圧との差は大きくなり、高い電圧が昇圧回路に供給されるので昇圧回路の出力電圧を上げることができる。
【００１５】
また、前記電圧制御手段は、
前記昇圧手段より出力された電圧を、前記駆動電圧供給手段の抵抗を用いて分圧する第２の分圧手段と、
前記第２の分圧手段により分圧された電圧と、基準電圧との差を増幅し、その増幅した電圧を前記昇圧手段に昇圧対象の電圧として供給する増幅手段と、
を備えてもよい。
【００１６】
また、前記第２の分圧手段は、前記駆動電圧供給手段の抵抗によって分圧された任意の電位を用いることが可能な分圧抵抗切替手段を備えてもよい。
【００１７】
また、本発明の電源装置は、
供給された電圧を昇圧して出力する昇圧手段と、
前記昇圧手段より出力された電圧と、基準電圧との差分に対応する電圧を出力する差分出力手段と、
前記差分出力手段より出力された電圧をディジタル信号に変換して出力するＡ／Ｄ変換手段と、
前記Ａ／Ｄ変換手段より出力された前記ディジタル信号に基づき、前記昇圧手段に供給される昇圧対象の電圧を制御する手段と、
前記昇圧手段より出力された電圧を、前記昇圧手段の出力電位と接地電位との間に直列に接続された複数の抵抗によって分圧し、駆動用の電圧として表示素子に供給する駆動電圧供給手段と、
を備えることを特徴とする。
【００１８】
上記構成とすることにより、昇圧回路の出力電圧が目標値より高いとき、昇圧回路に供給される電圧を低くなるように制御することができ、また、昇圧回路の出力電圧が目標値より低いときは、昇圧回路に供給される電圧を高くなるように制御することができる。よって、昇圧回路の出力電圧を目標値に近づけることができる。
【００１９】
また、本発明の電源装置は、
供給された電圧を昇圧して出力する昇圧手段と、
前記昇圧手段より出力された電圧と、基準電圧との差分に対応する電圧を出力する差分出力手段と、
前記差分出力手段より出力された電圧をディジタル信号に変換して出力するＡ／Ｄ変換手段と、
前記Ａ／Ｄ変換手段より出力された前記ディジタル信号に基づき、前記昇圧手段より出力された電圧が所望の値となるように、前記昇圧手段の昇圧動作を制御する昇圧動作制御手段と、
前記昇圧手段より出力された所望の電圧を、前記昇圧手段の出力電位と接地電位との間に直列に接続された複数の抵抗によって分圧し、駆動用の電圧として表示素子に供給する駆動電圧供給手段と、
を備えることを特徴とする。
【００２０】
上記構成の電源装置において、
前記昇圧手段は、動作クロックに従って昇圧動作を実行する昇圧回路を備え、
前記昇圧動作制御手段は、前記昇圧手段より出力された電圧が所望の値となるように、前記昇圧手段の昇圧動作に供給する動作クロックの周波数を制御する周波数制御手段を備えることにより、昇圧回路の出力電圧の大きさに従って、昇圧回路の動作クロックの周期を長く、又は短くすることができるので、昇圧回路の出力電圧を制御することができる。よって、所望の電圧を得ることができる。
【００２１】
また、上記構成の電源装置において、
前記昇圧動作制御手段は、前記昇圧手段の出力電圧に従って、前記昇圧手段をオン又はオフにする昇圧動作切換手段を備えることにより、昇圧回路の出力電圧の大きさによって、昇圧回路を動作させたり、停止させたりすることができるので、所望の電圧を得ることができる。
【００２２】
また、上記構成の電源装置において、
前記昇圧手段は、昇圧段数を切り換える機能を有し、
前記昇圧動作制御手段は、前記昇圧手段の出力電圧に従って、前記昇圧手段の昇圧段数を制御する昇圧段数切換手段を備えることにより、昇圧回路の出力電圧に従って、昇圧段数を切り替え、昇圧倍数を変更することが可能となる。これにより、出力電圧を制御することができる。
【００２３】
また、上記構成の電源装置において、
前記昇圧手段は、複数の昇圧用コンデンサを充電し、充電後その昇圧用コンデンサの接続を切り換えて接続する手段を備え、
前記昇圧動作制御手段は、前記昇圧手段の出力電圧に従って、前記昇圧手段の昇圧動作に寄与する複数の昇圧用コンデンサの接続を切り換える手段を備えることにより、昇圧回路の出力電圧に従って、昇圧用コンデンサの接続状態を変えることができるので、実質的な昇圧コンデンサの容量が変化し、出力電圧の制御が行える。
【００２４】
さらに、上記の全ての電源装置において、前記昇圧手段は、
複数の昇圧用コンデンサを充電し、充電後その昇圧用コンデンサの接続を切り換えて昇圧する手段を備え、
前記複数の昇圧用コンデンサを、前記昇圧手段の出力電位と接地電位との間に接続されるように切り替えることが可能な接続切替手段を備えてもよい。
また、前記昇圧手段は、
複数の昇圧用コンデンサを充電し、充電後その昇圧用コンデンサの接続を切り換えて昇圧する手段を備え、
前記複数の昇圧用コンデンサを、並列に接続することが可能な並列接続手段をさらに備えてもよい。
【発明の効果】
【００２５】
以上説明したように、本発明の電源装置によれば、表示素子に駆動電圧を好適に供給することができる。また、回路に備わっている素子を効率的に利用することができる。
【図面の簡単な説明】
【００２６】
【図１】本実施の形態に用いる液晶表示装置を示す。
【図２】第１の実施の形態にかかる電源装置を示す。
【図３】第２の実施の形態にかかる電源装置を示す。
【図４】第３の実施に形態にかかる電源装置を示す。
【図５】第４の実施の形態にかかる電源装置を示す。
【図６】第５の実施の形態にかかる電源装置を示す。
【図７】（Ａ）は、第５の実施の形態にかかる電源装置を構成する昇圧回路の回路図を示し、（Ｂ）は、その論理回路を示す。
【図８】第６の実施の形態にかかる電源装置を示す。
【図９】第６の実施の形態にかかる電源装置を構成する容量変換回路の回路図を示す。
【図１０】本発明の電源装置の変形例を示す。
【図１１】本発明の電源装置の変形例を示す。
【図１２】本発明の電源装置の変形例を示す。
【図１３】本発明の電源装置の変形例を示す。
【図１４】従来の電源装置を示す。
【発明を実施するための形態】
【００２７】
本発明の実施の形態に係る電源装置を液晶表示装置に適用した場合について図面を用いて説明する。
【００２８】
本実施の形態に用いられる液晶表示装置を図１に示す。図１に示す液晶表示装置は、ＬＳＩ化されており、表示素子１と、電源装置２と、行ドライバ３と、列ドライバ４と、制御装置５とから構成される。
【００２９】
表示素子１は、対向して配置された第１の基板と第２の基板と、第１の基板に行方向に配置された複数の走査電極１１と、第２の基板の列方向に配置された複数の信号電極１３と、両基板間に封止された液晶とを備え、走査電極１１と信号電極１３の交点で定義される複数の画素により画像を表示する。
【００３０】
電源装置２は、表示素子１を駆動するための複数の駆動電圧を生成し、行ドライバ３及び列ドライバ４に供給する。
【００３１】
行ドライバ３は、電源装置２より供給された駆動電圧に基づき、制御装置５からのタイミング制御信号に従って、選択した走査電極１１に対応する駆動電圧を走査電圧として順次出力する。
【００３２】
一方、列ドライバ４は、走査電圧に同期して、制御装置５からのタイミング制御信号に従って、各画素の表示データに対応した駆動電圧をデータ電圧として信号電極１３に出力する。
【００３３】
このようにして、選択状態にある走査電極１１と信号電極１３の交点で定義される画素に画像が表示される。
【００３４】
以下、本発明の電源装置について図面を用いて説明する。
【００３５】
（第１の実施の形態）
本発明の第１の実施の形態に係る電源装置について、図２を用いて説明する。
【００３６】
第１の実施の形態に係る電源装置は、図２に示すように、最大駆動電圧生成回路２１と、分圧回路２２と、から構成される。
【００３７】
最大駆動電圧生成回路２１は、オペアンプ２３と、昇圧回路２４と、分圧抵抗Ｒ５、Ｒ６と、安定化コンデンサＣstと、から構成され、液晶を駆動するために必要な電圧を生成する。
【００３８】
分圧抵抗Ｒ５、Ｒ６は、昇圧回路２４の出力電位と接地電位との間に直列に接続されている。昇圧回路２４の出力電圧Ｖprを、抵抗Ｒ５の抵抗値と抵抗Ｒ６の抵抗値の和に対する抵抗Ｒ６の抵抗値の比率に分圧し、その分圧された帰還電圧Ｖbackがオペアンプ２３の負入力端に入力される。
【００３９】
オペアンプ２３は、基準電圧Ｖrefと帰還電圧Ｖbackとの差分の電圧を所定の増幅率で増幅し、その出力電圧Ｖopを昇圧回路２４に入力する。
【００４０】
昇圧回路２４は、複数のコンデンサから成る昇圧コンデンサＣprを備え、制御装置５からの昇圧クロックＣＫの供給タイミングに従って、オペアンプ２３の出力電圧Ｖopを所定倍に昇圧する。
【００４１】
分圧回路２２は、複数の抵抗（Ｒ１〜Ｒ４）から構成され、最大駆動電圧生成回路２１より生成された電圧を複数の駆動電圧（Ｖ０〜Ｖ４）に分圧する。分圧回路２２を構成する抵抗Ｒ１〜Ｒ４は、昇圧回路２４の出力端と接地電位との間に直列に接続されており、最大駆動電圧生成回路２１より供給された目標の電圧を分圧する。分圧された電圧は、駆動電圧Ｖ０〜Ｖ４として行ドライバ３及び列ドライバ４に供給される。
【００４２】
安定化コンデンサＣstは、昇圧回路２４の出力電位と接地電位との間に接続され、昇圧回路２４の出力電圧Ｖprに含まれるリプル（交流成分）を除去し、平滑化する。
【００４３】
なお、オペアンプ２３の増幅率、昇圧回路２４の昇圧倍数、基準電圧Ｖref、抵抗Ｒ５、Ｒ６は、昇圧回路２４の出力電圧Ｖprが目標値で安定するように設定されている。
【００４４】
次に、最大駆動電圧生成回路２１の動作について説明する。
【００４５】
電源装置が動作し始めたときは、昇圧回路２４の出力電圧Ｖprは、目標値に達しておらず、オペアンプ２３に入力される帰還電圧Ｖbackは小さい値を取る。このため、昇圧回路２４の電源であるオペアンプ２３の出力電圧Ｖopは、最大値（電源電圧ＶDDに近い値）を取り、その出力電圧Ｖopが昇圧回路２４によって昇圧される。
【００４６】
昇圧回路２４の出力電圧Ｖprが徐々に上昇し、目標値を越えると、オペアンプ２３の負入力端に入力される帰還電圧Ｖbackは基準電圧Ｖrefより高くなり、オペアンプ２３の出力電圧Ｖopは低くなる。このため、昇圧回路２４は、その出力電圧Ｖprを降下させ、出力電圧Ｖprは目標値に近づいていく。
【００４７】
逆に、昇圧回路２４の出力電圧Ｖprが降下しすぎ、目標値よりも低くなると、オペアンプ２３の負入力端に入力される帰還電圧Ｖbackは基準電圧Ｖrefより低くなり、オペアンプ２３の出力電圧Ｖopは高くなる。このため、昇圧回路２４の出力電圧Ｖprも高くなり目標値に近づく。
【００４８】
このような動作を繰り返すことにより、昇圧回路２４の出力電圧Ｖprは、目標値で安定する。
【００４９】
また、電源装置２に接続された負荷が変化しても、昇圧回路２４の出力電圧Ｖprは一瞬変化するが、上記動作を行うことにより、電圧の変動が補正されるため、表示素子１に安定して駆動電圧Ｖ０〜Ｖ４を供給することができる。
【００５０】
以上説明したように、昇圧回路２４の電源としてオペアンプ２３を用い、帰還回路を構成することにより、昇圧回路２４の出力電圧Ｖprの制御が可能になり、表示素子１を好適に駆動することができる電圧を生成することができる。
【００５１】
従って、電圧の変動がなく、安定した駆動電圧が得られる。
【００５２】
（第２の実施の形態）
本発明の第２の実施の形態に係る電源装置を図３を用いて説明する。なお、図２と同一の構成要素には同符号を付す。
【００５３】
この電源装置は、最大駆動電圧生成回路６１と分圧回路２２とから構成され、最大駆動電圧生成回路６１は、昇圧回路２４と、分圧抵抗Ｒ１０、Ｒ１１と、コンパレータ６２と、Ａ／Ｄコンバータ６３と、電子ボリューム６４とから構成される。
【００５４】
昇圧回路２４の出力電圧Ｖprは、抵抗Ｒ１０、Ｒ１１によって分圧され、コンパレータ６２の負入力端に入力される。コンパレータ６２は、分圧された電圧と比較基準電圧Ｖcrとの差分の電圧を所定の増幅率で増幅し、２値レベル（ハイレベル又はローレベル）の増幅電圧Ｖampを出力する。Ａ／Ｄコンバータ６３は、増幅電圧ＶampをＡ／Ｄ変換し、論理１又は０のディジタル信号ＤＳとして出力する。電子ボリューム６４は、ディジタル信号ＤＳの値に従って、出力しているアナログ電圧を上昇又は下降させる。
【００５５】
この構成によれば、比較基準電圧Ｖcrを、例えば、上昇圧力電圧Ｖprの目的値を抵抗Ｒ１０とＲ１１とで分圧した値に設定することにより、昇圧電圧Ｖprが目標値よりも高い場合には、コンパレータ６２の負入力端（反転入力端）の入力電圧が正入力端（非反転入力端）の入力電圧の電圧よりも高くなって、増幅電圧Ｖampがローレベルとなり、ディジタル信号ＤＳの値が０となる。電子ボリューム６４は、そのディジタル信号ＤＳを受け、出力しているアナログ電圧を所定量ΔＶだけ下降させる。一方、昇圧電圧Ｖprが目標値より低い場合には、増幅電圧Ｖampがハイレベルとなり、ディジタル信号ＤＳの値が１となり、電子ボリューム６４が、出力アナログ電圧を所定量ΔＶだけ上昇させるように動作させることができる。
【００５６】
よって、上記動作を繰り返すことにより、昇圧回路２４の出力電圧Ｖprは、目標値に近づき、最終的に目標値で安定する。従って、分圧回路２２には安定した目標の電圧が供給され、表示素子１を好適に駆動することができる。
【００５７】
なお、コンパレータ６２に代えて、増幅器を使用することも可能である。この場合、増幅器は、抵抗Ｒ１０とＲ１１により分圧された電圧と比較基準電圧Ｖcr（例えば、昇圧電圧Ｖprの目標値を抵抗Ｒ１０とＲ１１で分圧した値に等しい電圧）との差分を所定の増幅率で増幅して出力する。Ａ／Ｄコンバータ６３は、増幅器より出力された電圧を多値レベルのディジタル信号ＤＳに変換し、電子ボリューム６４は、ディジタル信号ＤＳの値に対応する量だけ、出力しているアナログ電圧を上昇又は下降させる。この構成によっても、分圧回路２２には安定した目標の電圧が供給される。
【００５８】
（第３の実施の形態）
本発明の第３の実施の形態にかかる電源装置について図４を用いて説明する。なお、図２及び図３と同一構成要素には同符号を付す。
【００５９】
この電源装置は、最大駆動電圧生成回路７１と分圧回路２２とから構成され、最大駆動電圧生成回路７１は、昇圧回路２４と、分圧抵抗Ｒ１０、Ｒ１１と、コンパレータ６２と、Ａ／Ｄコンバータ６３と、昇圧周波数変換回路７２とから構成される。
【００６０】
昇圧回路２４は、制御装置５から供給される昇圧クロックＣＫに従って昇圧動作を行う。
【００６１】
昇圧回路２４の出力電圧Ｖprは、抵抗Ｒ１０、Ｒ１１によって分圧され、コンパレータ６２の負入力端に入力される。コンパレータ６２は、分圧された電圧と比較基準電圧Ｖcrとの差分の電圧を増幅し、２値レベル（ハイレベル又はローレベル）の増幅電圧Ｖampを出力する。Ａ／Ｄコンバータ６３は、増幅電圧ＶampをＡ／Ｄ変換し、論理１又は０のディジタル信号ＤＳとして出力する。昇圧周波数変換回路７２は、ディジタル信号ＤＳの値に従って、制御装置５から昇圧回路２４に供給される昇圧クロックＣＫの周期を変換する。
【００６２】
この構成によれば、例えば、比較基準電圧Ｖcrを、昇圧電圧Ｖprの目標値を抵抗Ｒ１０とＲ１１で分圧した値に等しい電圧に設定することにより、出力電圧Ｖprが目標値よりも高い場合に、増幅電圧Ｖampがローレベルとなり、ディジタル信号ＤＳの値が０となる。昇圧周波数変換回路７２は、そのディジタル信号ＤＳを受け、昇圧クロックＣＫの周期を長くする。周期の長い昇圧クロックＣＫ’により、昇圧コンデンサＣprに充電された電荷の放出時間が長くなるため、電荷の放出量は増加する。その結果、昇圧回路２４の出力電圧Ｖprは下がる。
【００６３】
一方、出力電圧Ｖprが目標値より低い場合には、増幅電圧Ｖampがハイレベルとなり、ディジタル信号ＤＳの値が１となり、昇圧周波数変換回路７２は、周期の短い昇圧クロックＣＫ’を昇圧回路２４に供給する。これにより、昇圧用コンデンサＣprに充電された電荷の放出時間は短くなり、昇圧回路２４の出力電圧Ｖprは上がる。
【００６４】
よって、上記動作を繰り返すことにより、昇圧回路２４の出力電圧Ｖprは、目標値に近づき、最終的に目標値で安定する。従って、分圧回路２２には安定した目標の電圧が供給され、表示素子１を好適に駆動することができる。
【００６５】
なお、コンパレータ６２に代えて、増幅器を使用することも可能である。この場合、増幅器は、抵抗Ｒ１０とＲ１１により分圧された電圧と比較基準電圧Ｖcrとの差分を所定の増幅率で増幅して出力する。Ａ／Ｄコンバータ６３は、増幅器より出力された電圧を多値レベルのディジタル信号ＤＳに変換し、昇圧周波数変換回路７２は、ディジタル信号ＤＳの値に対応する量だけ、動作クロックの周波数を上昇又は下降させる。この構成によっても、分圧回路２２には安定した目標の電圧が供給される。
【００６６】
（第４の実施の形態）
本発明の第４の実施の形態にかかる電源装置について図５を用いて説明する。なお、図４と同一の構成要素には同符号を付す。
【００６７】
この電源装置は、最大駆動電圧生成回路７３と分圧回路２２とから構成され、最大駆動電圧生成回路７３は、昇圧回路２４と、分圧抵抗Ｒ１０、Ｒ１１と、コンパレータ６２と、Ａ／Ｄコンバータ６３と、昇圧動作制御回路７４とから構成される。
【００６８】
昇圧回路２４の出力電圧Ｖprは、抵抗Ｒ１０、Ｒ１１によって分圧され、コンパレータ６２の負入力端に入力される。コンパレータ６２は、分圧された電圧と比較基準電圧Ｖcrとの差分の電圧を所定の増幅率で増幅し、２値レベル（ハイレベル又はローレベル）の増幅電圧Ｖampを出力する。Ａ／Ｄコンバータ６３は、増幅電圧ＶampをＡ／Ｄ変換し、論理１又は０のディジタル信号ＤＳとして出力する。昇圧動作制御回路７４は、ディジタル信号ＤＳの値に従って、制御装置５から昇圧回路２４へ供給する昇圧クロックＣＫをオン又はオフする。
【００６９】
この構成によれば、例えば、比較基準電圧Ｖcrを、昇圧電圧Ｖprの目標値を抵抗Ｒ１０とＲ１１で分圧した値に等しい電圧に設定することにより、昇圧電圧Ｖprが目標値よりも高い場合に、増幅電圧Ｖampがローレベルとなり、ディジタル信号ＤＳの値が０となる。昇圧動作制御回路７４は、そのディジタル信号ＤＳを受け、昇圧回路２４に供給されている昇圧クロックＣＫをオフする。その結果、昇圧回路２４の昇圧動作は停止し、出力電圧Ｖprは降下する。
【００７０】
一方、出力電圧Ｖprが目標値より低い場合には、増幅電圧Ｖampがハイレベルとなり、ディジタル信号ＤＳの値が１となり、昇圧動作制御回路７４は、昇圧クロックＣＫをオンする。これにより、昇圧回路２４に入力された電圧は昇圧され、出力電圧Ｖprは上昇する。
【００７１】
よって、上記動作を繰り返すことにより、昇圧回路２４の出力電圧Ｖprは、目標値に近づき、最終的に目標値で安定する。従って、分圧回路２２には安定した目標の電圧が供給され、表示素子１を好適に駆動することができる。
【００７２】
なお、図５に示す構成の電源装置の場合、昇圧回路２４の出力電圧Ｖprの変動を抑えるために、安定化コンデンサＣstの容量を大きく設定し、分圧回路２２の分圧抵抗Ｒ１〜Ｒ４の抵抗値を小さく設定することが望ましい。
【００７３】
（第５の実施の形態）
本発明の第５の実施の形態に係る電源装置について図６及び図７を用いて説明する。なお、図２〜図５と同一の構成要素のものには同符号を付す。
【００７４】
この電源装置は、最大駆動電圧生成回路７５と分圧回路２２とから構成され、最大駆動電圧生成回路７５は、昇圧回路２４と、分圧抵抗Ｒ１０、Ｒ１１と、コンパレータ６２と、Ａ／Ｄコンバータ６３と、昇圧段数切換回路７８とから構成される。
【００７５】
昇圧回路２４の出力電圧Ｖprは、抵抗Ｒ１０、Ｒ１１によって分圧され、コンパレータ６２の負入力端に入力される。コンパレータ６２は、分圧された電圧と比較基準電圧Ｖcrとの差分の電圧を所定の増幅率で増幅し、２値レベル（ハイレベル又はローレベル）の増幅電圧Ｖampを出力する。Ａ／Ｄコンバータ６３は、増幅電圧ＶampをＡ／Ｄ変換し、論理１又は０のディジタル信号ＤＳとして出力する。昇圧段数切換回路７８は、ディジタル信号ＤＳの値に従って、昇圧回路２４の昇圧倍数を変更するための昇圧倍数切換信号を昇圧回路２４に供給する。
【００７６】
本実施の形態に用いられている昇圧回路２４の構成を図７を用いて説明する。図７（Ａ）は、昇圧対象の電圧の昇圧倍数を１倍から３倍に変換することが可能な昇圧回路の一例を示す。図７（Ｂ）は、図７（Ａ）に示す昇圧回路に供給する信号を生成するための論理回路の一例を示す。
【００７７】
図７（Ａ）に示す昇圧回路は、昇圧用コンデンサＣprと、ｐ型及びｎ型のＭＯＳトランジスタより構成されている。各トランジスタのゲートには、図７（Ｂ）に示す回路により生成された信号が供給される。図７（Ｂ）に示す回路において、ＶＥＬ１を論理１、ＶＥＬ２を論理０、ＶＥＬ３を論理０に設定することにより、図７（Ａ）の昇圧回路は、１倍昇圧回路として機能する。また、ＶＥＬ１が０、ＶＥＬ２が１、ＶＥＬ３が０という設定では、２倍昇圧回路として機能し、ＶＥＬ１が０、ＶＥＬ２が０、ＶＥＬ３が１という設定では、３倍昇圧回路として機能する。
【００７８】
この構成によれば、例えば、前のタイミングにおける昇圧回路２４の昇圧倍数が２倍であり、昇圧電圧Ｖprが目標値より高い場合、昇圧段数切換回路７８は、ＶＥＬ１に１、ＶＥＬ２に０、ＶＥＬ３に０の昇圧倍数切換信号を出力し、昇圧回路２４の昇圧倍数を１倍に下げる。これにより、出力電圧Ｖprは降下する。また、出力電圧Ｖprが目標値より低い場合には、昇圧段数切換回路７８は、ＶＥＬ１に０、ＶＥＬ２に０、ＶＥＬ３に１の昇圧倍数切換信号を出力し、昇圧倍数を３倍に上げる。これにより、出力電圧Ｖprは上昇する。
【００７９】
よって、上記のような動作を繰り返すことにより、昇圧回路２４の出力電圧Ｖprは、目標値に近づき、最終的に目標値で安定する。従って、分圧回路２２には安定した目標の電圧が供給され、表示素子１を好適に駆動することができる。
【００８０】
（第６の実施の形態）
本発明の第６の実施の形態にかかる電源装置について図８、９を用いて説明する。なお、図２及び図３と同一の構成要素には同符号を付す。
【００８１】
この電源装置は、最大駆動電圧生成回路７６と分圧回路２２とから構成され、最大駆動電圧生成回路７６は、昇圧回路２４と、分圧抵抗Ｒ１０、Ｒ１１と、コンパレータ６２と、Ａ／Ｄコンバータ６３と、容量切換信号発生回路７９と、容量変換回路８１とから構成される。
【００８２】
昇圧回路２４の出力電圧Ｖprは、抵抗Ｒ１０、Ｒ１１によって分圧され、コンパレータ６２の負入力端に入力される。コンパレータ６２は、分圧された電圧と比較基準電圧Ｖcrとの差分の電圧を所定の増幅率で増幅し、２値レベル（ハイレベル又はローレベル）の増幅電圧Ｖampを出力する。Ａ／Ｄコンバータ６３は、増幅電圧ＶampをＡ／Ｄ変換し、論理１又は０のディジタル信号ＤＳとして出力する。容量切換信号発生回路７９は、ディジタル信号ＤＳの値に従って、容量変換回路８１に、昇圧コンデンサＣprの容量を変化させる信号Ａ、Ｂ（容量切換信号）を出力する。
【００８３】
次に、容量変換回路８１について図９を用いて説明する。容量変換回路８１は、Ｎ型ＭＯＳトランジスタＴｒ１〜Ｔｒ６を介して昇圧コンデンサＣprと並列に接続された補助コンデンサＣ１、Ｃ２、Ｃ３と、オア回路ＯＲと、アンド回路ＡＮＤとから構成される。
【００８４】
容量切換信号発生回路７９より、０を示す信号Ａと、０を示す信号Ｂとが出力されたとすると、トランジスタＴｒ１〜Ｔｒ６の全てがオフ状態となり、昇圧に使用されるコンデンサは、昇圧コンデンサＣprのみとなる。また、１を示す信号Ａと、０を示す信号Ｂとが出力されたときは、トランジスタＴｒ１、Ｔｒ２がオンし、その他のトランジスタはオフ状態となる。このため、昇圧に使用されるコンデンサは、並列接続された昇圧コンデンサＣprと補助コンデンサＣ１によって構成される。
【００８５】
同様に、０を示す信号Ａと、１を示す信号Ｂとが出力されたときは、トランジスタＴｒ１〜Ｔｒ４がオンし、昇圧に使用されるコンデンサは、並列接続された昇圧コンデンサＣprと補助コンデンサＣ１、Ｃ２になる。また、１を示す信号Ａと、１を示す信号Ｂとが出力されたときは、トランジスタＴｒ１〜Ｔｒ６がオンし、昇圧に使用されるコンデンサは、並列接続された昇圧コンデンサＣprと補助コンデンサＣ１、Ｃ２、Ｃ３になる。
【００８６】
このように、昇圧コンデンサＣprに並列接続する補助コンデンサの数を変更することにより、昇圧コンデンサＣprの容量を実質的に変化させることができ、昇圧回路２４の昇圧倍数を変えることができる。
【００８７】
容量切換信号発生回路７９は、昇圧回路２４の出力電圧Ｖprが目標値を超えたとき、目標値より大きいことを示すディジタル信号ＤＳに従って、昇圧動作に寄与するコンデンサが現在よりも少なくなるように信号Ａ、Ｂを切り替える。このため、昇圧回路２４の昇圧能力は低下し、出力電圧Ｖprは降下する。
【００８８】
逆に、昇圧回路２４の出力電圧Ｖprが目標値より小さくなったとき、容量切換信号発生回路７９は、目標値より小さいことを示すディジタル信号ＤＳを受け、昇圧動作に寄与するコンデンサが現在より増加するように信号Ａ、Ｂを切り替える。このため、昇圧回路２４の昇圧能力は上昇し、出力電圧Ｖprは上昇する。
【００８９】
このような動作を繰り返すことにより、昇圧回路２４の出力電圧Ｖprは、目標値で安定するようになり、分圧回路２２には目標値の電圧が供給される。
【００９０】
従って、上記構成の電源装置２を用いても、昇圧回路２４の出力電圧Ｖprの制御が可能になり、表示素子１を好適に駆動することができる電圧を生成することができる。
【００９１】
なお、コンパレータ６２に代えて、増幅器を使用することも可能である。この場合、増幅器は、抵抗Ｒ１０とＲ１１により分圧された電圧と比較基準電圧Ｖcrとの差分を所定の増幅率で増幅して出力する。Ａ／Ｄコンバータ６３は、増幅器より出力された電圧を多値レベルのディジタル信号ＤＳに変換して出力する。容量切換信号発生回路７９は、ディジタル信号ＤＳが示す値に応じて、昇圧に寄与するコンデンサの数を増減するように、容量切換信号を切り替える。例えば、昇圧回路２４の出力電圧Ｖprが目標値よりも非常に大きい場合には、補助容量を全て切り離すように、信号Ａ、Ｂを切り替え、昇圧回路２４の出力電圧Ｖprが目標値よりも若干小さい場合には、補助容量を１つだけ追加するように、信号Ａ、Ｂを切り替える。
【００９２】
（変形例）
この発明は、上記実施の形態に限定されず、種々の変形及び応用が可能である。
【００９３】
例えば、第１の実施の形態では、昇圧回路２４の出力電圧Ｖprを分圧抵抗Ｒ５、Ｒ６を用いて分圧し、オペアンプ２３の負入力端子に入力したが、図１０に示すように、分圧回路２２の分圧抵抗Ｒ１〜Ｒ４を出力電圧Ｖprの分圧抵抗として用いることも可能である。図２に示す分圧抵抗Ｒ５、Ｒ６を取り除くことにより、抵抗Ｒ５、Ｒ６を介して流れる貫通電流による電力の消費をなくすことができるため、消費電力の低減が図れる。この場合、オペアンプ２３の負入力端子の接続位置を変えることにより、分圧回路２２の任意の中間の電圧を用いることが可能である。
【００９４】
また、図１１に示すように、オペアンプ２３の負入力端子と、昇圧回路２４の出力電位及び、分圧回路２２の任意の電位とを接続するためのパッドＰをＬＳＩ上に設けて、このパッドＰによってオペアンプ２３の負入力端子の接続先を変更しても良い。パッドＰは、例えば、オペアンプ２３の負入力端に接続された端子０と、昇圧回路２４の出力端に接続された端子１と、分圧回路２２のそれぞれの抵抗Ｒ１〜４の間に接続された端子２〜４を有する。端子０を、端子１〜４のいずれか一つに接続することにより、昇圧回路２４の出力電圧Ｖprを分圧する比率を変えることができる。比率を変えることにより、オペアンプ２３の負入力端子に入力される電圧も変わり、昇圧回路２４の出力電圧Ｖprを制御することができる。
【００９５】
第１から第６の実施の形態に用いられる昇圧回路２４において、昇圧倍数を小さく設定したり、昇圧動作中に昇圧段数を減らして昇圧倍数を小さくする場合、使用されない昇圧コンデンサＣprが発生する。このとき、図１２に示すように、切換スイッチを用いて、昇圧に使用されない昇圧コンデンサＣprを安定化コンデンサ（昇圧回路２４の出力電圧のジッタを吸収し、安定化させるコンデンサ）又は補完コンデンサ（安定化コンデンサに並列接続され、出力電圧の安定化に寄与する容量を増大させるコンデンサ）として用いることが可能である。
【００９６】
この場合、使用されない可能性のある昇圧コンデンサＣprを、図１２に示すように、スイッチ回路を介して、昇圧回路２４及び昇圧回路２４の出力端に接続する。
【００９７】
昇圧コンデンサＣprを、本来の昇圧動作に使用する場合には、端子０と端子２を接続し、昇圧コンデンサＣprを昇圧回路２４に接続し、図２に示す昇圧回路の一部に組み込み、昇圧動作に寄与させる。一方、補完コンデンサとして用いるときには、端子０と端子１を接続し、昇圧コンデンサＣprを昇圧回路２４の出力とグランドとの間に接続する。この構成によれば、昇圧コンデンサＣprが本来の昇圧動作に必要な場合には、昇圧動作に寄与し、昇圧倍数（段数）の設定などにより、昇圧動作に使用されない場合には、安定化コンデンサとして機能する。
【００９８】
昇圧コンデンサを本来の昇圧コンデンサとして使用するか補完コンデンサとして使用するかは、例えば、図６の昇圧段数切換回路７８の出力、図８の容量切替回路信号発生回路７９の出力などに基づいて判別される。この構成によれば、昇圧コンデンサＣprを有効に使用し、昇圧回路２４の出力電圧を安定化することができる。
【００９９】
また、出力電圧Ｖprの分圧抵抗として分圧回路２２を構成する抵抗を代用する図１０に示したような帰還回路において、昇圧回路２４の昇圧段数を減らして使用する場合、余ったコンデンサを並列に接続し、補助コンデンサ（昇圧動作に寄与するコンデンサの容量を増大させるコンデンサ）として用いることも可能である。
【０１００】
例えば、昇圧段数を一段減らして使用する場合、図１３に示すように、昇圧動作に寄与しない昇圧コンデンサＣpr２を、スイッチ回路を介して、昇圧コンデンサＣpr１に並列接続する。
【０１０１】
この構成によれば、昇圧コンデンサＣpr２は、昇圧倍数が高い場合には、昇圧倍数の増加に寄与し、昇圧倍数が低い場合には、昇圧能力（昇圧容量）の向上に寄与する。即ち、昇圧コンデンサを無駄なく、有効に使用することができる。
【０１０２】
昇圧コンデンサを本来の昇圧コンデンサとして使用するか補助コンデンサとして使用するかは、例えば、図６の昇圧段数切換回路７８の出力、図８の容量切換信号発生回路７９の出力などに基づいて判別される。
【０１０３】
以上説明したように、本実施の形態の電源装置によれば、昇圧回路２４の出力電圧Ｖprの値に応じて、昇圧対象の電圧を変化させ、或いは昇圧回路２４の昇圧動作を制御することにより、目標値で安定した出力電圧Ｖprが得られる。このため、表示素子１が駆動するのに好適な安定した電圧Ｖ０〜Ｖ４を生成することができる。
【０１０４】
また、昇圧に使用されない昇圧コンデンサＣprを、リプル除去用の安定化コンデンサや、昇圧回路２４の昇圧効率を上げるための補助コンデンサとして有効に活用することができる。
【０１０５】
また、表示素子１の表示内容が切り替わるなどして、電源装置２に接続された負荷が変化しても、昇圧回路２４の出力は目標の電圧で安定する。このため、表示素子１に安定して駆動電圧Ｖ０〜Ｖ４を供給することができる。
【０１０６】
この発明の電源装置は、液晶表示素子の電源装置に限定されず、ＰＤＰ（プラズマディスプレイ）、ＥＬ（エレクトロルミネッセンス）、ＦＥＤ（フィールドエミッションディスプレイ）等の表示装置に、複数階調及び／又は複数色を表示するための複数の電圧を必要とする、表示素子用電源として広く適用可能である。さらに、表示装置以外の装置の電力を供給する電源装置にも当然適用可能である。
【符号の説明】
【０１０７】
１…表示素子、２…電源装置、３…行ドライバ、４…列ドライバ、５…制御装置、１１…走査電極、１３…信号電極、２１、６１、７１、７３、７５、７６…最大駆動電圧生成回路、２２…分圧回路、２３…オペアンプ、２４…昇圧回路、６２…コンパレータ、６３…Ａ／Ｄコンバータ、６４…電子ボリューム、７２…昇圧周波数変換回路、７４…昇圧動作制御回路、７８…昇圧段数切換回路、７９…容量切換信号発生回路、８１…容量変換回路
【図１】
2010152369.tif 000003
【図２】
2010152369.tif 000004
【図３】
2010152369.tif 000005
【図４】
2010152369.tif 000006
【図５】
2010152369.tif 000007
【図６】
2010152369.tif 000008
【図７】
2010152369.tif 000009
【図８】
2010152369.tif 000010
【図９】
2010152369.tif 000011
【図１０】
2010152369.tif 000012
【図１１】
2010152369.tif 000013
【図１２】
2010152369.tif 000014
【図１３】
2010152369.tif 000015
【図１４】
2010152369.tif 000016
【手続補正書】
【提出日】平成22年2月4日(2010.2.4)
【手続補正１】
【補正対象書類名】明細書
【補正対象項目名】００１２
【補正方法】変更
【補正の内容】
【００１２】
上記目的を達成するため、本発明の電源装置は、
供給された電圧を昇圧して出力する昇圧手段と、
前記昇圧手段より出力された電圧を検出し、その検出結果に基づき、前記昇圧手段より出力される電圧が所望の値となるように、前記昇圧手段に供給する電圧を制御する電圧制御手段と、
前記昇圧手段より出力された電圧を、前記昇圧手段の出力電位と接地電位との間に直列に接続された複数の抵抗によって分圧し、駆動用の電圧として表示素子に供給する駆動電圧供給手段と、
を備え、
前記電圧制御手段は、
前記昇圧手段より出力された電圧を、前記駆動電圧供給手段の抵抗を用いて分圧する分圧手段と、
前記分圧手段により分圧された電圧と、基準電圧との差を増幅し、その増幅した電圧を前記昇圧手段に昇圧対象の電圧として供給する増幅手段と、
を備えることを特徴とする。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
前記分圧手段は、前記駆動電圧供給手段の抵抗によって分圧された任意の電位を用いることが可能な分圧抵抗切替手段を備えてもよい。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】特許請求の範囲
【補正対象項目名】全文
【補正方法】変更
【補正の内容】
【特許請求の範囲】
【請求項１】
供給された電圧を昇圧して出力する昇圧手段と、
前記昇圧手段より出力された電圧を検出し、その検出結果に基づき、前記昇圧手段より出力される電圧が所望の値となるように、前記昇圧手段に供給する電圧を制御する電圧制御手段と、
前記昇圧手段より出力された電圧を、前記昇圧手段の出力電位と接地電位との間に直列に接続された複数の抵抗によって分圧し、駆動用の電圧として表示素子に供給する駆動電圧供給手段と、
を備え、
前記電圧制御手段は、
前記昇圧手段より出力された電圧を、前記駆動電圧供給手段の抵抗を用いて分圧する分圧手段と、
前記分圧手段により分圧された電圧と、基準電圧との差を増幅し、その増幅した電圧を前記昇圧手段に昇圧対象の電圧として供給する増幅手段と、
を備えることを特徴とする電源装置。
【請求項２】
前記分圧手段は、前記駆動電圧供給手段の抵抗によって分圧された任意の電位を用いることが可能な分圧抵抗切替手段を備えることを特徴とする請求項１に記載の電源装置。